(57)【特許請求の範囲】
【請求項１】
昇降するかごに取り付けられるベースプレートと、このベースプレート上に配設されたローラガイドと、を備えたエレベータのローラガイド装置であって、
上記ローラガイドは、
底壁の両側から一対の支持片が立ち上がった略Ｕ字形をなすように鋼板をプレス成形してなり、かつ、上記底壁が該底壁内に位置するボルトでもって上記ベースプレートに固定された固定ブラケットと、
この固定ブラケットの上記一対の支持片によって両端が支持された揺動軸と、
底壁の両側から一対の支持片が立ち上がった略Ｕ字形をなすように鋼板をプレス成形してなり、当該一対の支持片が上記揺動軸を介して上記固定ブラケットに揺動可能に支持された可動ブラケットと、
この可動ブラケットの上記一対の支持片によって両端が支持されたローラ軸と、
上記ローラ軸を介して回転可能に支持されたガイドローラと、
上記固定ブラケットの底壁と上記可動ブラケットの底壁との間に圧縮状態で配設され、上記ガイドローラがガイドレールへ近付く揺動方向に沿って上記可動ブラケットを付勢するコイルスプリングと、
を備えたエレベータのローラガイド装置。
【請求項２】
Ｔ字形ガイドレールに対応して、上記ベースプレート上に３個のローラガイドが配設されている、ことを特徴とする請求項１に記載のエレベータのローラガイド装置。
【請求項３】
上記ガイドローラがガイドレールへ近付く揺動方向への上記可動ブラケットの最大揺動位置を規制するように、上記固定ブラケットの底壁から立ち上がったボルトと、上記可動ブラケットの底壁を貫通した上記ボルトの先端部に螺合したナットと、を備え、
上記ボルトが上記コイルスプリングの内周に挿通されている、ことを特徴とする請求項１または２に記載のエレベータのローラガイド装置。
【請求項４】
上記固定ブラケットのガイドレール寄りの一端部に上記揺動軸が配置され、かつ他端部に上記コイルスプリングが配置されており、
上記ローラ軸は、上記ベースプレートに垂直に投影したときに、上記揺動軸と上記コイルスプリングとの間に位置する、ことを特徴とする請求項１〜３のいずれかに記載のエレベータのローラガイド装置。
【請求項５】
上記可動ブラケットが、上記固定ブラケットの支持片よりも外側へ張り出したストッパ支持部を備えており、このストッパ支持部に、先端部が上記ベースプレートに対向した棒状のストッパが取り付けられている、ことを特徴とする請求項１〜４のいずれかに記載のエレベータのローラガイド装置。
【請求項６】
上記ガイドローラを上記ベースプレートに垂直に投影したときに、上記コイルスプリングの少なくとも一部が上記ガイドローラの投影面と重なる、ことを特徴とする請求項１〜５のいずれかに記載のエレベータのローラガイド装置。
【発明の詳細な説明】
【技術分野】
【０００１】
この発明は、エレベータのかごをガイドレールに沿って案内するローラガイド装置に関する。
【背景技術】
【０００２】
エレベータのかごは、昇降路内のガイドレールによって案内されて上下に昇降する構成となっているが、ガイドレールに対する案内機構としては、ガイドレールに摺接するシューを用いた比較的簡易な摺動型ガイドシュー装置と、ガイドレールに圧接しながら転動するガイドローラを用いたローラガイド装置と、が知られている。
【０００３】
ローラガイド装置は、一般に、特許文献１や特許文献２等に開示されているように、かごに取り付けられるベースプレート上に、ブラケットを介して揺動可能にアームを設け、このアームの先端に、いわゆる片持ち状にローラ軸を支持させた構成となっている。円盤状のガイドローラは、このローラ軸に回転自在に支持され、ゴム等から構成される外周部がガイドレールの表面に対向して配置される。そして、このガイドローラが適宜な付勢力でもってガイドレールに押し付けられるように、コイルスプリングを用いた付勢機構を備えている。この付勢機構としては、アームの揺動方向に沿って該アームを貫通するように設けられたスプリング支持ボルトを備え、このスプリング支持ボルトにコイルスプリングが嵌合して支持された構成となっており、スプリング支持ボルト端部のナットとアームとの間に、コイルスプリングが圧縮状態に配設されている。つまり、コイルスプリングの中心軸線が、円盤状のガイドローラの直径線と平行でかつガイドレールの長手方向と直交した方向となるように、コイルスプリングが配置されている。
【先行技術文献】
【特許文献】
【０００４】
【特許文献１】特表２００１−５２５３０７号公報
【特許文献２】特開２００５−８２２６４号公報
【発明の概要】
【発明が解決しようとする課題】
【０００５】
上記のような従来のローラガイド装置においては、ガイドレールの長手方向に直交して延びるコイルスプリングが円盤状のガイドローラと平行に並んで位置するので、ローラガイド装置全体の外形寸法とりわけガイドレールの長手方向に沿って見たときの投影面積が大きくなる。しかも、ベースプレートをかごに取り付けるための取付孔をコイルスプリングやアームとの干渉を避けつつ配置する必要があることから、ベースプレートの外形状が大型化する。
【０００６】
また、スプリング支持ボルトの基端を支持するブラケットがガイドローラの回転中心よりもガイドレール寄りに必要となるので、ガイドローラの回転中心（つまりローラ軸）がガイドレールから比較的離れて位置することとなり、必然的に、ガイドローラの径が大きくなる。つまり、ローラガイド装置を小型化すべくガイドローラを小径化することが困難であった。
【０００７】
この発明は、構成が簡単でかつ小型化が可能なローラガイド装置を提供することを目的としている。
【課題を解決するための手段】
【０００８】
この発明は、昇降するかごに取り付けられるベースプレートと、このベースプレート上に配設されたローラガイドと、を備えたエレベータのローラガイド装置であって、
上記ローラガイドは、
底壁の両側から一対の支持片が立ち上がった略Ｕ字形をなすように鋼板をプレス成形してなり、かつ、上記底壁が該底壁内に位置するボルトでもって上記ベースプレートに固定された固定ブラケットと、
この固定ブラケットの上記一対の支持片によって両端が支持された揺動軸と、
底壁の両側から一対の支持片が立ち上がった略Ｕ字形をなすように鋼板をプレス成形してなり、当該一対の支持片が上記揺動軸を介して上記固定ブラケットに揺動可能に支持された可動ブラケットと、
この可動ブラケットの上記一対の支持片によって両端が支持されたローラ軸と、
上記ローラ軸を介して回転可能に支持されたガイドローラと、
上記固定ブラケットの底壁と上記可動ブラケットの底壁との間に圧縮状態で配設され、上記ガイドローラがガイドレールへ近付く揺動方向に沿って上記可動ブラケットを付勢するコイルスプリングと、
を備えている。
【０００９】
すなわち、本発明におけるローラガイドは、略Ｕ字形をなす固定ブラケットの内側に、同様に略Ｕ字形をなす可動ブラケットが組み合わされ、この略Ｕ字形をなす可動ブラケットの内側にガイドローラが配置された構成となっている。可動ブラケットは、固定ブラケットに両端が支持された揺動軸を介して揺動可能に支持されており、ガイドローラは、可動ブラケットに両端が支持されたローラ軸を介して回転可能に支持されている。そして、コイルスプリングは、固定ブラケットの底壁と可動ブラケットの底壁との間に配設されているので、コイルスプリングの中心軸線が概ねベースプレートの面に直交する方向となり、かつ固定ブラケットと可動ブラケットとコイルスプリングとの三者が互いに重なった配置となる。そのため、ベースプレートの面と直交する方向に沿って見たときの投影面積を小さくすることができる。
【００１０】
また、ローラ軸をガイドレールに比較的近付けて支持することが可能となり、それだけガイドローラの小径化が可能である。
【００１１】
本発明の好ましい一つの態様では、上記ガイドローラを上記ベースプレートに垂直に投影したときに、上記コイルスプリングの少なくとも一部が上記ガイドローラの投影面と重なるようになっている。
【００１２】
なお、本発明においては、ローラガイドの個数は必ずしも限定されず、対象とするガイドレールの形状ないし構成に応じて適宜に設けられる。本発明の一つの態様では、典型的なＴ字形ガイドレールに対応して、上記ベースプレート上に３個のローラガイドが配設される。
【００１３】
また、本発明の好ましい一つの態様では、上記ガイドローラがガイドレールへ近付く揺動方向への上記可動ブラケットの最大揺動位置を規制するように、上記固定ブラケットの底壁から立ち上がったボルトと、上記可動ブラケットの底壁を貫通した上記ボルトの先端部に螺合したナットと、を備えており、上記ボルトが上記コイルスプリングの内周に挿通されている。従って、上記ボルトは、コイルスプリングの支持ないし案内と、該コイルスプリングの最大伸長位置（つまり可動ブラケットの最大揺動位置）を規制するストッパと、を兼ねたものとなる。
【００１４】
また、本発明の好ましい一つの態様では、上記固定ブラケットのガイドレール寄りの一端部に上記揺動軸が配置され、かつ他端部に上記コイルスプリングが配置されており、上記ローラ軸は、上記ベースプレートに垂直に投影したときに、上記揺動軸と上記コイルスプリングとの間に位置している。
【００１５】
さらに、本発明の好ましい一つの態様では、上記可動ブラケットが、上記固定ブラケットの支持片よりも外側へ張り出したストッパ支持部を備えており、このストッパ支持部に、先端部が上記ベースプレートに対向した棒状のストッパが取り付けられている。このストッパは、かごの揺れなどによりガイドローラがガイドレールによって押されたときに、可動ブラケットの所定の揺動位置においてベースプレートに当接し、可動ブラケットの過度の揺動を抑制する。
【発明の効果】
【００１６】
この発明によれば、ローラガイド装置全体の外形寸法とりわけベースプレートの面と直交する方向に沿って見たときの投影面積を小型化することができるとともに、ローラ軸をガイドレールに近付けて配置することが可能となり、ガイドローラの径を小径化することができる。
【００１７】
また、揺動軸およびローラ軸の双方が両端支持となることから、固定ブラケットや可動ブラケット等を過度に大型化せずにガイドローラの支持強度を確保することができ、ガイドローラの傾きによる振動等を抑制しつつローラガイド装置の小型軽量化が可能である。
【００１８】
また、コイルスプリングが両ブラケットの底壁の間に配置されるので、従来の構成に比べて簡単な構成となる。
【図面の簡単な説明】
【００１９】
【図１】ローラガイド装置を備えたエレベータのかごの斜視図。
【図２】ローラガイド装置の第１実施例を示す斜視図。
【図３】１つのローラガイドの分解斜視図。
【図４】１つのローラガイドをベースプレート上に取り付けた状態の斜視図。
【図５】第２実施例のローラガイド装置の斜視図。
【図６】第２実施例における１つのローラガイドの分解斜視図。
【図７】第２実施例における１つのローラガイドをベースプレート上に取り付けた状態の斜視図。
【発明を実施するための形態】
【００２０】
以下、この発明の一実施例を図面に基づいて詳細に説明する。
【００２１】
図１は、この発明に係るローラガイド装置１を備えたエレベータのかご２を示している。図示せぬ昇降路内を昇降するかご２は、矩形状に構成されたかご枠３と、このかご枠３によって支持されたかご室４と、から構成されており、昇降路の左右に設けられた一対のガイドレール５に対し、かご枠３の左右の上下２箇所（計４箇所）に、ローラガイド装置１が設けられている。これら４つのローラガイド装置１は、基本的に同一の構成を有している。
【００２２】
図２は、この発明に係るローラガイド装置１の第１実施例を示す斜視図であり、例えば、図１においてかご枠３の上面に取り付けられたローラガイド装置１を示している。なお、ガイドレール５は、図示するように、取付部６とレール部７とが断面Ｔ字形をなすように一体となった一般的なＴ字形ガイドレールである。ローラガイド装置１は、ガイドレール５のレール部７が入り込む切欠部１２（図３，図４参照）を前縁１１ａの中央に備えたベースプレート１１と、このベースプレート１１の上に配設された３つのローラガイド１３、具体的には、レール部７の側面７ａ，７ｂに対向する一対の側面ローラガイド１３Ａ，１３Ｂおよびレール部７の頂面７ｃに対向する１つの頂面ローラガイド１３Ｃと、を備えている。これら３つのローラガイド１３は、ベースプレート１１の切欠部１２を囲むように配設されている。そして、これら３つのローラガイド１３は、基本的に同一の構成を有しており、より詳しくは、２つの側面ローラガイド１３Ａ，１３Ｂはレール部７を挟んで互いに対称となるように構成され、かつ頂面ローラガイド１３Ｃは、側面ローラガイド１３Ａ，１３Ｂの一方例えば側面ローラガイド１３Ａと同一の構成となっている。
【００２３】
以下では、側面ローラガイド１３Ａを例にとって、各ローラガイド１３の構成を詳細に説明する。図３は、ローラガイド１３（側面ローラガイド１３Ａ）の分解斜視図であり、図４は、この１つのローラガイド１３のみをベースプレート１１上に組み付けた状態を示している。
【００２４】
ローラガイド１３は、ベースプレート１１に取り付けられる固定ブラケット２１と、この固定ブラケット２１に両端支持された揺動軸２２と、この揺動軸２２を介して固定ブラケット２１に揺動可能に支持された可動ブラケット２３と、この可動ブラケット２３に両端支持されたローラ軸２４と、このローラ軸２４を介して回転可能に支持された円盤状のガイドローラ２５と、このガイドローラ２５がガイドレール５に適宜な付勢力でもって圧接するように可動ブラケット２３を所定の揺動方向に沿って付勢するコイルスプリング２６と、逆にガイドローラ２５がガイドレール５によって押されたときにガイドローラ２５の過度の変位を規制するストッパ２７と、を備えている。
【００２５】
上記固定ブラケット２１は、鋼板のプレス成形品からなり、略長方形をなす底壁２１ａの両側から一対の支持片２１ｂが直角に立ち上がった略Ｕ字形をなしている。この固定ブラケット２１は、底壁２１ａの長手方向が、レール部７の対応する面（つまり側面ローラガイド１３Ａであればレール部７の側面７ａ）と直交するような姿勢でもってベースプレート１１上に配置され、かつ複数本（例えば２本）のボルト３１でもって底壁２１ａがベースプレート１１に固定されている。そして、各支持片２１ｂの切欠部１２側（つまりガイドレール５寄り）となる端部に円形の軸受孔３２がそれぞれ開口形成されている。この軸受孔３２には、軸受部材となるメタルブッシュ３３がそれぞれ嵌合し、このメタルブッシュ３３を介して、揺動軸２２の両端がそれぞれ回転可能に支持されている。なお、ベースプレート１１は比較的厚い鋼板からなり、ボルト３１が螺合する位置には予めねじ孔３１ａが加工されている。また、揺動軸２２は、先端のねじ孔に螺合するフランジ付きのボルト２２ａによって抜け止めされるようになっている。
【００２６】
可動ブラケット２３は、固定ブラケット２１と同様に鋼板のプレス成形品からなり、略長方形をなす底壁２３ａの両側から一対の支持片２３ｂが直角に立ち上がった略Ｕ字形をなしている。ここで、支持片２１ｂの各々は、頂角が他の２つの角よりも小さな２等辺三角形に近似した略三角形をなしており、その底辺に相当する部分の一部が底壁２３ａの側縁に連続している。また底辺側の一つの角に相当する端部に円形の軸受孔３５が開口形成されており、この軸受孔３５が揺動軸２２に回転自在に嵌合している。詳しくは、軸受部材となる上記のメタルブッシュ３３の外周面に軸受孔３５が嵌合している。
【００２７】
なお、軸受孔３５が設けられる側の端部においては、底壁２３ａは存在せず、下方へ向かって開口するように切り欠かれた状態となっている。
【００２８】
略二等辺三角形をなす一対の支持片２３ｂの頂角に相当する部位には、やはり円形の軸受孔３７が開口形成されており、この一対の軸受孔３７によって、ガイドローラ２５のローラ軸２４の両端が支持されている。ローラ軸２４は、先端のねじ孔に螺合するフランジ付きのボルト２４ａによって抜け止めされるようになっている。
【００２９】
円盤状のガイドローラ２５は、外周面にゴムやエラストマー等の弾性体材料からなる円環状の弾性体部３９を備えており、この弾性体部３９がガイドレール５の表面（側面７ａ等）に接する。ガイドローラ２５は、中心部にボールベアリングないしニードルベアリングからなる転がり軸受（図示せず）を備えており、この転がり軸受を介して、ローラ軸２４に回転自在に支持されている。従って、ガイドローラ２５は、可動ブラケット２３の一対の支持片２３ｂの間に挟み込まれた形に配置され、かつ両側で支持片２３ｂによって支持されている。
【００３０】
可動ブラケット２３は上述のように一端部が揺動軸２２を介して固定ブラケット２１の一端部に揺動可能に連結されており、揺動軸２２とは反対側となる端部では、固定ブラケット２１の底壁２１ａの上に可動ブラケット２３の底壁２３ａが重なった状態となっている。そして、このように互いに重なった固定ブラケット２１の底壁２１ａと可動ブラケット２３の底壁２３ａとの間に、コイルスプリング２６が圧縮状態でもって配設されている。
【００３１】
詳しくは、固定ブラケット２１の底壁２１ａを貫通してベースプレート１１のねじ孔４１ａに螺合するスプリング支持ボルト４１が、ベースプレート１１の面に垂直となるように底壁２１ａから立設されており、このスプリング支持ボルト４１の回りにコイルスプリング２６が嵌合している。換言すれば、スプリング支持ボルト４１がコイルスプリング２６の内周に挿通されている。従って、コイルスプリング２６は、その中心軸線がベースプレート１１の面に直交した姿勢となっている。なお、コイルスプリング２６のばね力を調整するための円板状のシム４２が、コイルスプリング２６の端部と固定ブラケット２１の底壁２１ａとの間に介装されており、スプリング支持ボルト４１に螺合するナット４３をシム４２の上から締め付けることによって、スプリング支持ボルト４１の緩み止めがなされている。
【００３２】
スプリング支持ボルト４１の先端部は、可動ブラケット２３の底壁２３ａに開口形成した円形の孔４５を貫通しており、ここに、一対のナット４６がいわゆるダブルナットの形式で取り付けられている。このナット４６は、コイルスプリング２６の付勢力でもって可動ブラケット２３が揺動したときに、該可動ブラケット２３の底壁２３ａと当接し、可動ブラケット２３の揺動を規制する。つまり、ガイドローラ２５がガイドレール５に接していない状態での可動ブラケット２３の最大限の揺動位置が、ナット４６の取付位置でもって調整される。従って、上記スプリング支持ボルト４１は、コイルスプリング２６の支持ないし案内と、該コイルスプリング２６の最大伸長位置（つまり可動ブラケット２３の最大揺動位置）を規制するストッパと、を兼ねたものとなっている。
【００３３】
また、図２〜図４に示す第１実施例では、可動ブラケット２３の底壁２３ａに連続して、固定ブラケット２１の一方の支持片２１ｂよりも外側へ台形状に張り出したストッパ支持片２３ｃが一体に形成されている。ストッパ支持部となるこのストッパ支持片２３ｃには、ねじ孔４８が形成されており、このねじ孔４８に、棒状をなすストッパ２７が取り付けられている。詳しくは、ストッパ２７は、ねじ孔４８に螺合する螺条を有するボルト状のステム２７ａと、その下端の頭部に設けられたゴムもしくはウレタン等の弾性体材料からなる略円柱形のストッパ部２７ｂと、を備えており、ストッパ部２７ｂの球面状の端面がベースプレート１１の面に所定の間隙を介して対向するように、ストッパ支持片２３ｃにおける取付位置が調整されている。そして、ステム２７ａに螺合するナット４９をストッパ支持片２３ｃへ向けて締め付けることで、ステム２７ａの緩み止めがなされている。上記のストッパ２７は、通常はベースプレート１１の面から離れているが、エレベータのかご２の揺れなどによりガイドローラ２５がガイドレール５によって大きく押されたときには、弾性を有するストッパ部２７ｂがベースプレート１１の面に当接し、可動ブラケット２３の過度の揺動ひいてはかご２の過度の変位を規制する。
【００３４】
なお、ガイドレール５がガイドレール５に接している基準の状態においては、図４に示すように、固定ブラケット２１の底壁２１ａと可動ブラケット２３の底壁２３ａとが、実質的に平行となる。従って、ストッパ２７は、基本的に、ベースプレート１１の面に対し垂直の姿勢となっており、ストッパ２７とコイルスプリング２６の中心軸線とが互いに平行となる。
【００３５】
また、ローラ軸２４をベースプレート１１に垂直に投影したときに、揺動軸２２とコイルスプリング２６との間に、ローラ軸２４が位置している。つまり、円盤状のガイドローラ２５が、固定ブラケット２１のほぼ直上に配置されている。
【００３６】
さらに、図示例では、可動ブラケット２３の揺動中心である揺動軸２２の中心からローラ軸２４の中心までの距離と、同じく揺動軸２２の中心からコイルスプリング２６のばね力の作用点となる孔４５の中心までの距離と、が互いに等しく設定されている。つまり、可動ブラケット２３の揺動を介した回転モーメントとして、ばね力によって入力される回転モーメントの腕の長さとガイドローラ２５に与えられる回転モーメントの腕の長さとが互いに等しくなっている。これにより、コイルスプリング２６の荷重の設定ないし調整が容易となる。
【００３７】
個々のローラガイド１３は、以上のように構成されており、前述したように、ベースプレート１１の上には、３個のローラガイド１３（側面ローラガイド１３Ａ，１３Ｂおよび頂面ローラガイド１３Ｃ）が取り付けられている。ベースプレート１１には、これら３個のローラガイド１３に覆われない位置に、かご枠３に取り付けるための取付孔５０が複数個（例えば４個）設けられている。図２に示すように、一対の側面ローラガイド１３Ａ，１３Ｂは、それぞれの固定ブラケット２１がベースプレート１１の前縁１１ａに沿うようにして切欠部１２の両側に配置される。そして、ストッパ２７は、前縁１１ａとは反対側となるようにそれぞれ配置されている。頂面ローラガイド１３Ｃにおいては、ストッパ２７をいずれの側に配置するかは任意であるが、図示例では、側面ローラガイド１３Ａと同一の配置となっている。
【００３８】
上記のように構成されたローラガイド装置１においては、それぞれ略Ｕ字形をなす固定ブラケット２１と可動ブラケット２３とを組み合わせ、ガイドローラ２５を両側で支持するようにしているため、構成が簡単であるとともに、個々のローラガイド１３ひいてはローラガイド装置１全体の外形寸法が小型となる。特に、コイルスプリング２６が固定ブラケット２１の底壁２１ａと可動ブラケット２３の底壁２３ａとの間にベースプレート１１に対し垂直となる姿勢でもって配置されており、固定ブラケット２１と可動ブラケット２３とコイルスプリング２６との三者が互いに重なった配置となるため、ベースプレート１１の面と直交する方向に沿って見たときの投影面積を小さくすることができる。図示例では、円盤状のガイドローラ２５をベースプレート１１に垂直に投影したときに、コイルスプリング２６のほぼ全体がガイドローラ２５の投影面に覆われた状態となる。換言すれば、３個のガイドローラ２５よりも外側へはコイルスプリング２６が殆ど張り出しておらず、小型の構成となる。
【００３９】
さらに、従来のようにコイルスプリングをガイドローラの直径方向に沿って配設する場合に比較して、ローラ軸２４をガイドレール５に近付けて支持することが可能であり、それだけガイドローラ２５の小径化が可能である。このガイドローラ２５の小径化によって、個々のローラガイド１３ひいてはローラガイド装置１全体がさらに小型のものとなる。
【００４０】
ベースプレート１１上に配置されるローラガイド１３の構成が小型でかつ簡単なものとなることから、ベースプレート１１に形成される取付孔５０を比較的ガイドレール５に近付けて配置することができ、ひいては、ベースプレート１１の小型化が可能である。
【００４１】
また、揺動軸２２およびローラ軸２４の双方が両端支持となることから、固定ブラケット２１や可動ブラケット２３等を過度に大型化したり厚肉化したりせずにガイドローラ２５の支持強度を確保することが容易となる。また、両端支持とすることで、ガイドローラ２５が荷重を受けたときに該ガイドローラ２５が傾きにくくなり、ガイドローラ２５の傾きによる振動等を抑制しつつローラガイド装置１の小型軽量化が可能である。
【００４２】
また、ストッパ２７がベースプレート１１に直接に当接する構成となるため、別のブラケット等を介してストッパの荷重を受ける構成に比較して、構成が簡素となる。
【００４３】
このように小型かつ簡単な構成のローラガイド装置１は、新規製造のエレベータへの使用に適しているのは勿論のこと、例えば、摺動型ガイドシュー装置を用いていた既存のエレベータの保守時に、摺動型ガイドシュー装置に置き換えて適用することも可能である。つまり、本発明によれば、既存の摺動型ガイドシュー装置のスペース内に配置可能な程度にローラガイド装置１を小型化することができる。
【００４４】
次に、図５〜図７は、可動ブラケット２３に設けられるストッパ支持部の構成を変更した本発明の第２実施例を示している。この第２実施例においては、ストッパ支持部として、鋼板をＬ字形に折り曲げてなるストッパ支持ブラケット５２が可動ブラケット２３とは別の部品として構成されている。そして、可動ブラケット２３の一方の支持片２３ｂの外側面に、複数のボルト５３を介してストッパ支持ブラケット５２が取り付けられている。なお、ボルト５３は、可動ブラケット２３の支持片２３ｂに設けられたねじ孔５３ａに螺合する。ストッパ支持ブラケット５２は、前述した第１実施例のストッパ支持片２３ｃと同様に、ストッパ２７のステム２７ａが螺合するネジ孔４８を備えており、ここにストッパ２７が取り付けられている。
【００４５】
なお、図示例では、部品の共通化を図るために、可動ブラケット２３は、一対の支持片２３ｂの双方にねじ孔５３ａを備えており、ストッパ支持ブラケット５２をいずれかの支持片２３ｂに選択的に取り付ける構成となっている。
【符号の説明】
【００４６】
１…ローラガイド装置
２…かご
５…ガイドレール
１１…ベースプレート
１３，１３Ａ，１３Ｂ，１３Ｃ…ローラガイド
２１…固定ブラケット
２１ａ…底壁
２１ｂ…支持片
２２…揺動軸
２３…可動ブラケット
２３ａ…底壁
２３ｂ…支持片
２３ｃ…ストッパ支持片
２４…ローラ軸
２５…ガイドローラ
２６…コイルスプリング
２７…ストッパ
４１…スプリング支持ボルト
５２…ストッパ支持ブラケット
【図１】
0006716843.tif 000002
【図２】
0006716843.tif 000003
【図３】
0006716843.tif 000004
【図４】
0006716843.tif 000005
【図５】
0006716843.tif 000006
【図６】
0006716843.tif 000007
【図７】
0006716843.tif 000008